(57)【要約】【課題】  小型化および低コスト化を図りつつ非通電時における対物レンズの光ディスクへの衝突を確実に防止する上で有利であり、ワーキングディスタンスが狭い光ピックアップを搭載している場合に好適な光ディスク装置を提供する。【解決手段】  ベース１６とレンズホルダ１４との間を連結するサスペンション部材１８は、光ディスク装置への電源が絶たれた非通電状態で、レンズホルダ１４に外力が加わっても対物レンズ１２が光ディスク１０２に衝突しない程度の間隙Ｌ１が対物レンズ１２と光ディスク１０２の間に確保される退避位置（イ）にレンズホルダ１４を位置させるように構成されている。【選択図】図４
2005092956.tif 000002
【特許請求の範囲】
【請求項１】
光ディスクの記録面に情報の記録および／または再生を行なう光ディスク装置であって、
ベースと、
光ディスクの記録面に情報の記録および／または再生用の光スポットを形成するための対物レンズを保持するレンズホルダと、
前記ベースとレンズホルダとの間に設けられ電流が供給されることで前記ベースに対してレンズホルダをフォーカシング方向に動かすフォーカシングアクチュエータと、
前記ベースと前記レンズホルダとの間を連結し前記レンズホルダを少なくともフォーカシング方向に移動可能に支持し、前記光ディスク装置への電源が断たれた非通電状態で、前記レンズホルダに外力が加わっても前記対物レンズが前記光ディスクに衝突しない程度の間隙が前記対物レンズと前記光ディスクの間に確保される退避位置に前記レンズホルダを位置させるサスペンション部材と、
前記フォーカシングアクチュエータに電流を与えることにより前記レンズホルダを前記フォーカシング方向に移動させるフォーカシング駆動回路と、
前記光ディスク装置が電源に接続された通電状態で、前記フォーカシング駆動回路を制御することで前記フォーカシングアクチュエータに動作待機用電流を供給し前記レンズホルダを前記退避位置から前記光ディスクの記録面に前記光スポットが形成可能な動作位置に位置させる動作待機用制御手段と、
記録および／または再生時に、前記フォーカシング駆動回路を制御することで前記フォーカシングアクチュエータにフォーカスサーボ用電流を与えるフォーカス用制御手段と、
を備えることを特徴とする光ディスク装置。
【請求項２】
前記フォーカシングアクチュエータは、前記ベースに設けられ磁石を含む固定側磁気回路と、前記レンズホルダに設けられ、前記電流が供給されることにより前記固定側磁気回路との電磁相互作用によって前記レンズホルダをフォーカシング方向に移動させるフォーカシングコイルとを有することを特徴とする請求項１記載の光ディスク装置。
【請求項３】
前記サスペンション部材は複数設けられ、各サスペンション部材は金属線で構成され、前記金属線は、フォーカシング用アクチュエータに対して前記動作待機用電流およびフォーカスサーボ用の駆動用電流を供給するための導電線として機能することを特徴とする請求項１記載の光ディスク装置。
【請求項４】
前記ベースは、トラッキング方向に移動されるキャリッジに取着され、前記ベースには、前記フォーカシング方向と直交する面上で前記トラッキング方向と直交するタンジェンシャル方向において前記レンズホルダと対向するようにサスペンション取付部が設けられ、前記サスペンション部材は複数設けられ、前記トラッキング方向において対物レンズを挟んだ前記レンズホルダの両側部と前記サスペンション取付部との間が前記タンジェンシャル方向に延在する前記サスペンション部材によりそれぞれ連結されていることを特徴とする請求項１記載の光ディスク装置。
【請求項５】
前記ベースは、トラッキング方向に移動されるキャリッジに取着され、前記ベースには、前記フォーカシング方向と直交する面上で前記トラッキング方向と直交するタンジェンシャル方向において前記レンズホルダと対向するようにサスペンション取付部が設けられ、前記サスペンション部材は４つ設けられ、各サスペンション部材は前記タンジェンシャル方向に延在する金属線で構成され、これらの金属線は、前記トラッキング方向において前記対物レンズを挟んだ前記レンズホルダの両側部においてそれぞれフォーカシング方向に間隔をおき光ディスク側に位置する上金属線と光ディスクから離れた側に位置する下金属線として配置され、これら前記上金属線と下金属線の長手方向の両端は前記レンズホルダの両側部と前記サスペンション取付部とに連結されていることを特徴とする請求項１記載の光ディスク装置。
【請求項６】
前記４つの金属線は、前記レンズホルダが退避位置に位置した状態で、前記光ディスクと平行に延在し、前記レンズホルダが動作位置に位置した状態で、ベースからレンズホルダに近づくにつれ、光ディスクに近づくように湾曲して延在していることを特徴とする請求項５記載の光ディスク装置。
【請求項７】
前記４つの金属線は、前記レンズホルダが退避位置に位置した状態で、ベースからレンズホルダに近づくにつれ、光ディスクから離れるように傾斜して延在し、前記レンズホルダが動作位置に位置した状態で、ベースからレンズホルダに近づくにつれ、光ディスクに近づくように湾曲して延在していることを特徴とする請求項５記載の光ディスク装置。
【請求項８】
前記ベースは、トラッキング方向に移動されるキャリッジに取着され、前記ベースには、前記フォーカシング方向と直交する面上で前記トラッキング方向と直交するタンジェンシャル方向において前記レンズホルダを挟むように２つのサスペンション取付部が設けられ、前記サスペンション部材は８つ設けられ、各サスペンション部材は前記タンジェンシャル方向に延在する金属線で構成され、これら８つの金属線のうちの４つの金属線は、光ディスク側に位置する上金属線として配置され、残りの４つの金属線は、前記上金属線とフォーカシング方向に間隔をおき光ディスクから離れた側に位置する下金属線として配置され、前記トラッキング方向において前記対物レンズを挟んだ前記レンズホルダの両側部と２つのサスペンション取付部との間はそれぞれ前記上金属線と下金属線とで連結されていることを特徴とする請求項１記載の光ディスク装置。
【請求項９】
前記８つの金属線は、前記レンズホルダが退避位置に位置した状態で、ベースからレンズホルダに近づくにつれ、光ディスクから離れるように湾曲して延在し、前記レンズホルダが動作位置に位置した状態で、ベースからレンズホルダに近づくにつれ、光ディスクに近づくように湾曲して延在していることを特徴とする請求項８記載の光ディスク装置。
【請求項１０】
前記８つの金属線は、前記レンズホルダが退避位置に位置した状態と前記レンズホルダが動作位置に位置した状態で、前記湾曲して延在する状態が保持されるように形成されていることを特徴とする請求項９記載の光ディスク装置。
【発明の詳細な説明】
【技術分野】
【０００１】
本発明は光ディスク装置に関する。
【背景技術】
【０００２】
近年、光ディスクの記録密度が高まるに伴って、光ピックアップの対物レンズによって光ディスクの記録面に形成される光スポット径もより小さいものが要求され、このため、前記対物レンズのＮＡ（開口数）が高くなる傾向にある。
したがって、光源から対物レンズに入射されるレーザー光の径が同じであれば、前記記録面上に形成される光スポット径を小さくするほど対物レンズのＮＡが高くなり、これにより、対物レンズと光ディスクの記録面との間のワーキングディスタンス（ＷＤ）はより短くなる。
例えば、ＭＤ（Ｍｉｎｉ  Ｄｉｓｋ）用の光ピックアップのＷＤは１．４ｍｍ程度であるのに対し、青色光レーザーを用いて記録、再生を行なう高記録密度で大容量の光ディスク（ＢｌｕＲａｙ）用の光ピックアップのＷＤは０．１ｍｍ乃至０．２ｍｍ程度となっており、対物レンズが光ディスク表面のごく近傍に位置するようになっている。
このようなＷＤの短い光ピックアップを備えた光ディスク装置を携帯可能なモバイル装置に組み込む場合、振動や衝撃が光ディスク装置に加わることで対物レンズが光ディスクに衝突することが懸念される。特に、光ディスク装置が通電されていない状態で対物レンズが光ディスクに衝突した場合、回転停止状態の光ディスクの同一箇所に何度も対物レンズが衝突することになり、光ディスクに記録されている情報が読み出し不能となりデータが破壊されるおそれがある。
このため、対物レンズと光ディスクの衝突を防止する技術が次のように提案されている。
（１）対物レンズをフォーカシング方向およびトラッキング方向に移動させる２軸アクチュエータの可動範囲を規制するストッパーを設けるもの。
（２）光ディスク装置の非通電時に、対物レンズが光ディスクと接しない退避位置に位置するように対物レンズ用のアクチュエータを電磁力により吸着固定させるもの（例えば特許公報１参照）。
（３）光ディスク装置の非通電時に、対物レンズを含む可動部がその自重により光ディスクから離間した方向に動くように構成したもの。
【特許文献１】特開２００２−２５１７５８号公報
【発明の開示】
【発明が解決しようとする課題】
【０００３】
しかしながら上述した従来技術（１）をワーキングディスタンスが狭い光ピックアップに適用した場合、該光ピックアップの部品精度および組立精度が非常に高いため、前記ストッパーの位置精度も非常に高精度としなくてはならず、製造コストが高くつくため実現が困難であった。
従来技術（２）では、対物レンズとともに動くアクチュエータ部分（可動部）に磁石あるいは磁性体を設けるためその自重が増加し、光ピックアップのサーボ性能が低下するおそれがあった。
従来技術（３）は、据え置き型の光ディスク装置のように、前記可動部が光ディスクから離間する方向と、前記可動部に作用する重力方向とが互いに一致している場合にのみ適用可能であるが、モバイル装置のように光ピックアップに作用する重力の方向が変わる場合には、対物レンズを含む可動部がその自重により光ディスクに近接する方向に動いてしまうおそれがあり、対物レンズの光ディスクへの衝突を確実に防止することが難しい。
また、従来技術（１）、（２）ではストッパー、あるいは、磁石や磁性体などの部品を設けなくてはならないため、小型化や低コスト化を図る上で不利であった。
本発明はこのような事情に鑑みなされたものであり、その目的は、小型化および低コスト化を図りつつ非通電時における対物レンズの光ディスクへの衝突を確実に防止する上で有利であり、ワーキングディスタンスが狭い光ピックアップを搭載している場合に好適な光ディスク装置を提供することにある。
【課題を解決するための手段】
【０００４】
上述の目的を達成するため、本発明の光ディスク装置は、光ディスクの記録面に情報の記録および／または再生を行なう光ディスク装置であって、ベースと、光ディスクの記録面に情報の記録および／または再生用の光スポットを形成するための対物レンズを保持するレンズホルダと、前記ベースとレンズホルダとの間に設けられ電流が供給されることで前記ベースに対してレンズホルダをフォーカシング方向に動かすフォーカシングアクチュエータと、前記ベースと前記レンズホルダとの間を連結し前記レンズホルダを少なくともフォーカシング方向に移動可能に支持し、前記光ディスク装置への電源が断たれた非通電状態で、前記レンズホルダに外力が加わっても前記対物レンズが前記光ディスクに衝突しない程度の間隙が前記対物レンズと前記光ディスクの間に確保される退避位置に前記レンズホルダを位置させるサスペンション部材と、前記フォーカシングアクチュエータに電流を与えることにより前記レンズホルダを前記フォーカシング方向に移動させるフォーカシング駆動回路と、前記光ディスク装置が電源に接続された通電状態で、前記フォーカシング駆動回路を制御することで前記フォーカシングアクチュエータに動作待機用電流を供給し前記レンズホルダを前記退避位置から前記光ディスクの記録面に前記光スポットが形成可能な動作位置に位置させる動作待機用制御手段と、記録および／または再生時に、前記フォーカシング駆動回路を制御することで前記フォーカシングアクチュエータにフォーカスサーボ用電流を与えるフォーカス用制御手段とを備えることを特徴とする。
【発明の効果】
【０００５】
そのため、本発明によれば、光ディスク装置の非通電状態で退避位置にレンズホルダを位置させるサスペンション部材を設け、光ディスク装置の通電状態でフォーカシングアクチュエータに動作待機用電流を供給しレンズホルダを前記退避位置から動作位置に位置させ、記録および／または再生時に、フォーカシングアクチュエータにフォーカスサーボ用の駆動電流を与えるようにした。
したがって、光ディスク装置の非通電状態では、対物レンズと光ディスクの間に間隙が確保されるので、ワーキングディスタンスが狭い光ピックアップが搭載された光ディスク装置であっても、対物レンズが光ディスクにぶつかって対物レンズ１２および光ディスク１０２が損傷することを確実に防止できる。
特に、光ディスク装置が各種の携帯機器に搭載され光ディスク装置の姿勢が種々の方向に変換される場合であっても、対物レンズと光ディスクの間に前記間隙が確保されているので、対物レンズおよび光ディスクが損傷することを確実に防止できる。
また、フォーカスサーボ動作を行なうフォーカシングアクチュエータを利用して対物レンズを動作位置と退避位置とに移動させる構成であるため、専用の部品を新たに設ける必要はなく、小型化および低コスト化を図る上で有利となる。
【発明を実施するための最良の形態】
【０００６】
小型化および低コスト化を図りつつ非通電時における対物レンズの光ディスクへの衝突を確実に防止するという目的を、フォーカシングアクチュエータの非作動時にレンズホルダを退避位置に位置させるサスペンション部材と、レンズホルダを退避位置から動作位置に位置させるフォーカシング駆動回路とを設けることによって実現した。
【実施例１】
【０００７】
次に本発明の実施例１について図面を参照して説明する。
図１は実施例１の光ディスク装置の概略構成を示すブロック図、図２は実施例１の光ディスク装置の光ピックアップの構成を示す斜視図、図３は図２の平面図である。
【０００８】
図１に示すように、光ディスク装置１００は、光記録媒体である光ディスク１０２を回転駆動する回転手段としてのスピンドルモータ１０３と、光ピックアップ１０４と、この光ピックアップ１０４を光ディスク１０２の半径方向に移動する移動手段としての送りモータ１０５とを備えている。
スピンドルモータ１０３および送りモータ１０５は、システムコントローラー１０７からの指令に基づいて制御されるサーボ制御部１０９により所定の回転数で駆動制御されるように構成されている。
【０００９】
信号変復調器＆ＥＣＣブロック１０８は、信号の変調、復調およびＥＣＣ（エラー訂正符号）の付加を行なう。
光ピックアップ１０４は、信号変復調器＆ＥＣＣブロック１０８の指令に従って、回転する光ディスク１０２の記録面に対し、レーザダイオードなどからなる光源から出射された光ビームを対物レンズ１２によって収束することにより記録／再生用の光スポットを前記記録面に形成するように構成されている。
さらに光ピックアップ１０４は、光ディスク１０２の記録面から反射される反射光ビームを対物レンズ１２を介して光検出手段ＰＤで検出し、該光検出手段ＰＤから出力される各種の信号をプリアンプ１２０に供給するように構成されている。
【００１０】
プリアンプ１２０は、光ディスク１０２の記録面からの反射光ビームに従い光ピックアップ１０４の光検出手段ＰＤから出力される各種の信号に基づいてフォーカシングエラー信号、トラッキングエラー信号、ＲＦ信号などを生成できるように構成されている。また、再生対象とされる光ディスク１０２の種類に応じて、サーボ制御部１０９、信号変復調器＆ＥＣＣブロック１０８などにより、これらの信号に基づく復調および誤り訂正処理などの所定の処理が行なわれる。
ここで、信号変復調器＆ＥＣＣブロック１０８により復調された記録信号が、例えばコンピュータのデータストレージ用であれば、インターフェース１１１を介して外部コンピュータ１３０などに送出される。これにより、外部コンピュータ１３０などは光ディスク１０２に記録された信号を再生信号を受け取ることができるように構成されている。
【００１１】
また、信号変復調器＆ＥＣＣブロック１０８により復調された記録信号がオーディオ・ビジュアル用であれば、Ｄ／Ａ、Ａ／Ｄ変換器１１２のＤ／Ａ変換部でデジタル／アナログ変換され、オーディオビジュアル処理部１１３に供給される。そして、このオーディオビジュアル処理部１１３でオーディオ・ビデオ信号処理がなされ、オーディオ・ビジュアル信号入出力部１１４を介して外部の撮像・映写機器に伝送される。
【００１２】
光ピックアップ１０４には、この光ピックアップ１４０を光ディスク１０２上の所定の記録トラックまで移動させるための送りモータ１０５が連結されている。また、スピンドルモータ１０３の制御と、送りモータ１０５の制御は、それぞれサーボ制御部１０９により行なわれる。
また、レーザ制御部１２１は、光ピックアップ１０４におけるレーザ光源ＬＤを制御するものであり、この光源ＬＤの出力パワーを記録モードおよび再生モードに応じて制御するように構成されている。
【００１３】
サーボ制御部１０９は、レンズホルダ１４を後述する退避位置と動作位置との間で動かす制御を行なうとともに、動作位置に位置したレンズホルダ１４を、プリアンプ１２０から供給されるフォーカシングエラー信号およびトラッキングエラー信号に基づいて光ディスク１０２の記録面および記録トラックに追従させてフォーカシング方向およびトラッキング方向に動かすサーボ制御を行なう。
なお、フォーカシング方向は光ディスク１０２の記録面に対して垂直な方向であり、トラッキング方向は光ディスク１０２の径方向であり、タンジェンシャル方向はフォーカシング方向と直交する面上でトラッキング方向と直交する方向である。
光ディスク装置１００が電源に接続された通電状態で、システムコントローラ１０７からサーボ制御部１０９に対して動作待機の指令が与えられ、サーボ制御部１０９は、前記動作待機の指令を受けると、フォーカシング駆動回路１１６を制御することでフォーカシングアクチュエータ２０に動作待機用電流を供給する。
また、サーボ制御部１０９は、前記動作待機の指令が解除された状態では、フォーカシング駆動回路１１６を制御することで前記動作待機用電流の供給を停止させるように構成されている。
したがって、サーボ制御部１０９は、プリアンプ１２０から供給されるフォーカシングエラー信号およびトラッキングエラー信号に基づいてフォーカシング駆動回路１１６およびトラッキング駆動回路１１８を制御するサーボ制御を行なうことに加えて、システムコントローラ１０７からの動作待機の指令に基づいてフォーカシング駆動回路１１６を制御するように構成されている。
なお、本実施例では、サーボ制御部１０９によって特許請求の範囲のフォーカス用制御手段が構成され、システムコントローラ１０７およびサーボ制御部１０９によって特許請求の範囲の動作待機用制御手段が構成されている。
【００１４】
フォーカシング駆動回路１１６は、サーボ制御部１０９から供給される制御信号によって制御され、対物レンズ１２と光ディスク１０２の記録面との間隔を一定値に維持するため、フォーカシングアクチュエータ２０（図２）をフォーカス方向に動かすフォーカスサーボ用の駆動電流を供給するように構成されている。
トラッキング駆動回路１１８は、サーボ制御部１０９から供給される制御信号によって制御され、対物レンズ１２によって形成される光スポットのトラッキング位置を維持するため、トラッキングアクチュエータ２２（図２）をトラッキング方向に動かすトラッキングサーボ用の駆動電流を供給するように構成されている。
対物レンズ１２は、フォーカシングアクチュエータ２０およびトラッキングアクチュエータ２２によってフォーカシング方向およびトラッキング方向に動かされるように構成されている。
【００１５】
次に、光ピックアップ１０４の構成について詳細に説明する。
図２、図３に示すように、光ピックアップ１０４は、対物レンズ１２を保持するレンズホルダ１４、ベース１６、サスペンション部材１８、フォーカシング用アクチュエータ２０、トラッキング用アクチュエータ２２などを備えている。
ベース１６は、鉄製の板部１６０２を有し、板部１６０２は、不図示のキャリッジに取着され、該キャリッジは前述した送りモータ１０５によってトラッキング方向に移動される。
板部１６０２には、タンジェンシャル方向においてレンズホルダ１４と対向するようにプラスチック製のサスペンション取付部１６０４が設けられている。
サスペンション部材１８は複数設けられ、トラッキング方向において対物レンズ１２を挟んだレンズホルダ１４の両側部とサスペンション取付部１６０４との間がタンジェンシャル方向に延在するサスペンション部材１８によりそれぞれ連結されている。
本実施例では、各サスペンション部材１８は４つ設けられ、各サスペンション部材１８はタンジェンシャル方向に延在する金属線で構成され、これら４つの金属線は、トラッキング方向において対物レンズ１２を挟んだレンズホルダ１４の両側部においてそれぞれフォーカシング方向に間隔をおき光ディスク１０２側に位置する２つの上金属線１８０２Ａと光ディスク１０２から離れた側に位置する２つの下金属線１８０２Ｂとして配置されている。上金属線１８０２Ａと下金属線１８０２Ｂの長手方向の両端はレンズホルダ１４の両側部とサスペンション取付部１６０４とに連結されている。
これら４つの金属線１８０２Ａ、１８０２Ｂは、レンズホルダ１４を支持することができる強度および弾性を有しており、これら各金属線１８０２Ａ、１８０２Ｂが撓むことによって、レンズホルダ１４は、図２に矢印で示したフォーカシング方向およびトラッキング方向に移動可能となっている。
【００１６】
フォーカシング用アクチュエータ２０は、ベース１６の板部１６０２に設けられた一対の磁石２４、２６と、レンズホルダ１４に設けられたフォーカシングコイル２８とを含んでいる。
一対の磁石２４、２６は、板部１６０２に立設された一対の鉄製のブラケット３４、３６に取付けられている。これらブラケット３４、３６は、板部１６０２と協動してヨークを構成しており、このヨークと一対の磁石２４、２６とで固定側磁気回路が構成されている。
フォーカシングコイル２８は、その軸心が対物レンズ１２の光軸と平行する方向に延在するようにレンズホルダ１４に配設されている。
フォーカシングコイル２８には、フォーカシング駆動回路１１６から、例えば４つの金属線のうちの２本を介して前記フォーカスサーボ用の駆動電流および前記動作待機用電流が供給されるように構成されている。この２つの金属線は、例えば、レンズホルダ１４の両側に位置する２つの上金属線１８０２Ａでもよく、あるいは、２つの下金属線１８０２Ｂでもよく、あるいは、レンズホルダ１４の片側に位置する上金属線１８０２Ａと下金属線１８０２Ｂであってもよい。
フォーカシングコイル２８は、前記フォーカスサーボ用の駆動電流または前記動作待機用電流が流されると、あるいは、前記フォーカスサーボ用の駆動電流および前記動作待機用電流が共に流されると、前記固定側磁気回路との電磁相互作用によって、レンズホルダ１４をフォーカシング方向に駆動する電磁気力を発生させる。
【００１７】
トラッキングアクチュエータ２２は、一対の磁石２４、２６と、レンズホルダ１４に設けられた一対のトラッキングコイル３０、３２とを含んで構成されており、したがって本実施例では、一対の磁石２４、２６はフォーカシングアクチュエータ２０とトラッキングアクチュエータ２２とに共用されている。
トラッキングコイル３０、３２は、それらの軸心がタンジェンシャル方向、すなわちトラッキング方向およびフォーカシング方向の双方に対して直交する方向に延在するように並べてレンズホルダ１４に配設されている。
トラッキングコイル３０、３２には、トラッキング駆動回路１１８から、例えば、前記フォーカスサーボ用の駆動電流および前記動作待機用電流の供給用として用いた金属線の残りの２つの金属線を介して前記トラッキングサーボ用の駆動電流が供給されるように構成されている。
トラッキングコイル３０、３２は、前記トラッキングサーボ用の駆動電流が流されると、前記固定側磁気回路との電磁相互作用によって、レンズホルダ１４をトラッキング方向に駆動する電磁気力を発生させる。
【００１８】
図４（Ａ）に示すように、各サスペンション部材１８は、光ディスク装置１００への電源が絶たれた非通電状態、すなわちフォーカシング用アクチュエータ２０に動作待機用電流が供給されない状態で、レンズホルダ１４に外力が加わっても対物レンズ１２が光ディスク１０２に衝突しない程度の間隙Ｌ１が対物レンズ１２と光ディスク１０２の間に確保される退避位置（イ）にレンズホルダ１４を位置させるように構成されている。
本実施例では、フォーカシング用アクチュエータ２０に動作待機用電流が供給されない状態で、ベース１６の板部１６０２および各サスペンション部材１８が光ディスク１０２の記録面とほぼ平行に延在するように構成されている。
また、フォーカシングアクチュエータ２０に前記動作待機用電流が供給されることで、各サスペンション部材１８は、図４（Ｂ）に示すように、レンズホルダ１４を光ディスク１０２に近づけるように撓み、レンズホルダ１４を前記退避位置から光ディスク１０２の記録面に光スポットが形成可能な動作位置（ロ）に位置させるように構成されている。
さらに、レンズホルダ１４を前記動作位置に位置させた状態で、フォーカシング駆動回路１１６からフォーカシングアクチュエータ２０に前記動作待機用電流に加えて前記フォーカスサーボ用の駆動電流が供給されることによりフォーカスサーボ動作がなされるように構成されている。
なお、本実施例では、前記４つの金属線１８０２Ａ、１８０２Ｂは、それぞれレンズホルダ１４のサスペンション部材１８として機能すると共に、フォーカシング用アクチュエータ２０およびトラッキング用アクチュエータ２０に対して前記動作待機用電流およびフォーカスサーボ用の駆動用電流、トラッキングサーボ用の駆動電流を供給するための導電線としての機能も果たしている。
【００１９】
次に、光ディスク装置１００の作用について説明する。
まず、光ディスク装置１００の非通電状態では、フォーカシングアクチュエータ２０には前記動作待機用駆動電流が供給されておらず、したがって、レンズホルダ１４は、各サスペンション部材１８によって前記退避位置に位置している。
次に、光ディスク装置１００が通電状態にされると、システムコントローラ１０７がサーボ制御部１０９に対して動作待機を指令する。
これにより、サーボ制御部１０９は、フォーカシング駆動回路１１６を制御することでフォーカシングアクチュエータ２０に前記動作待機用電流を供給し、図４（Ｂ）に示すように、レンズホルダ１４を前記退避位置から前記動作位置に移動させる。
これ以降、システムコントローラ１０７は、光ディスク１０２に対する記録および再生動作の開始に伴ってレーザ制御部１２１およびサーボ制御部１０９に必要な指令を与え、これにより、レーザ制御部１２１が光源ＬＤの発光制御を実行し、サーボ制御部１０９がスピンドルモータ１０３の回転制御および送りモータ１０５の回転制御を実行する。
そして、サーボ制御部１０９は、システムコントローラ１０７から与えられる記録および再生動作の指令に対応してフォーカシング駆動回路１１６およびトラッキング駆動回路１１８を制御することでフォーカシングアクチュエータ２０およびトラッキングアクチュエータ２２に前記フォーカスサーボ用およびトラッキングサーボ用の駆動電流を供給させフォーカシングおよびトラッキングのサーボ制御を実行する。
ここで、光ディスク装置１００が非通電状態とされると、システムコントローラ１０７がサーボ制御部１０９に対して動作待機の指令を解除する。
これにより、サーボ制御部１０９は、フォーカシング駆動回路１１６を制御することでフォーカシングアクチュエータ２０に対する前記フォーカスサーボ用の駆動電流および動作待機用電流の供給を停止するとともに、トラッキングアクチュエータ２２に対する前記トラッキングサーボ用の駆動電流の供給を停止する。したがって、図４（Ａ）に示すように、レンズホルダ１４は各サスペンション部材１８の弾性により前記動作位置から前記退避位置に復帰される。
【００２０】
本実施例によれば、光ディスク装置１００の非通電状態で前記退避位置にレンズホルダ１４を位置させるサスペンション部材１８を設け、光ディスク装置１００の通電状態でフォーカシングアクチュエータ２０に前記動作待機用電流を供給しレンズホルダ１４を前記退避位置から動作位置に位置させ、記録および／または再生時に、フォーカシングアクチュエータ２０にフォーカスサーボ用の駆動電流を与えるようにした。
したがって、光ディスク装置１００の通電状態では、対物レンズ１２と光ディスク１０２の間にワーキングディスタンスに相当する間隙Ｌ２が確保され、対物レンズ１２による光ディスク１０２に対する情報の記録および／または再生を支障なく行なうことができることは無論のこと、次のような効果が奏される。
光ディスク装置１００の非通電状態では、対物レンズ１２と光ディスク１０２の間に間隙Ｌ１が確保されるので、ワーキングディスタンスが狭い光ピックアップ１０４が搭載された光ディスク装置１００であっても、対物レンズ１２が光ディスク１０２にぶつかって対物レンズ１２および光ディスク１０２が損傷することを確実に防止できる。
特に、光ディスク装置１００が各種の携帯機器に搭載され光ディスク装置１００の姿勢が種々の方向に変換される場合であっても、対物レンズ１２と光ディスク１０２の間に間隙Ｌ１が確保されているので、対物レンズ１２および光ディスク１０２が損傷することを確実に防止できる。
また、フォーカスサーボ動作を行なうフォーカシングアクチュエータ２０を利用して対物レンズ１２を動作位置と退避位置とに移動させる構成であるため、専用の部品を新たに設ける必要はなく、小型化および低コスト化を図る上で有利となる。
【実施例２】
【００２１】
次に本発明の実施例２について図面を参照して説明する。
図５は実施例２における光ピックアップの動作説明図である。なお、以下では実施例１と同一または同様の部分には同一の符号を付してその説明を省略する。
実施例２が実施例１と異なる点は、フォーカシング用アクチュエータ２０に動作待機用電流が供給されない状態における各サスペンション部材１８の姿勢である。
図５（Ａ）に示すように、光ディスク装置１００の非通電状態で、すなわち、フォーカシング用アクチュエータ２０に動作待機用電流が供給されない状態で、４つの金属線１８０２Ａ、１８０２Ｂは互いに平行をなし、かつ、ベース１６のサスペンション取付部１６０４からレンズホルダ１４に至るに従って光ディスク１０２から次第に離間するように傾斜して延在し、対物レンズ１２は光ディスク１０２との間隙Ｌが充分に確保された退避位置となるように構成されている。
また、図５（Ｂ）に示すように、光ディスク装置１００の通電状態で、すなわち、フォーカシングアクチュエータ２０に動作待機用電流が供給される状態で、前記４つの金属線１８０２Ａ、１８０２Ｂは、レンズホルダ１４を光ディスク１０２に近づけるように撓み、レンズホルダ１４を前記退避位置から光ディスク１０２の記録面に光スポットが形成可能な動作位置（ロ）に位置させるように構成されている。
したがって、実施例２においても実施例１と同様に、光ディスク装置１００の非通電時に対物レンズ１２と光ディスク１０２がぶつかって損傷することを確実に防止でき、小型化および低コスト化を図ることができる。
さらに、実施例２では、前記４つの金属線１８０２Ａ、１８０２Ｂがベース１６のサスペンション取付部１６０４からレンズホルダ１４に至るに従って光ディスク１０２から次第に離間するように傾斜して設けられているので、実施例１に比べて、ベース１６を光ディスク１０２に近接した位置に配設することができる。このため、光ディスク１０２の厚さ方向においてベース１６が光ディスク１０２と反対側に占有していたスペースを削減でき光ディスク装置１００の小型化を図る上でさらに有利となる。
【実施例３】
【００２２】
次に本発明の実施例３について図面を参照して説明する。
図６は実施例３における光ピックアップの動作説明図である。
実施例３が実施例１と異なる点は、レンズホルダ１４が複数のサスペンション部材１８を介して２つのサスペンション取付部１６０４に連結されている点である。
図６に示すように、板部１６０２には、タンジェンシャル方向においてレンズホルダ１４を挟むように２つのサスペンション取付部１６０４が設けられている。
サスペンション部材１８は８つ設けられ、各サスペンション部材１８はタンジェンシャル方向に延在する金属線で構成され、これら８つの金属線のうちの４つの金属線は、光ディスク１０２側に位置する上金属線１８０２Ａとして配置され、残りの４つの金属線は、上金属線１８０２Ａとフォーカシング方向に間隔をおき光ディスク１０２から離れた側に位置する下金属線１８０２Ｂとして配置されている。
トラッキング方向において対物レンズ１２を挟んだレンズホルダ１４の両側部と２つのサスペンション取付部１６０４との間はそれぞれ４つの上金属線１８０２Ａと４つの下金属線１８０２Ｂとで連結されている。
図６（Ａ）に示すように、光ディスク装置１００の非通電状態で、すなわち、レンズホルダ１４が退避位置に位置した状態で、前記８つの金属線１８０２Ａ、１８０２Ｂはベース１６のサスペンション取付部１６０４からレンズホルダ１４に至るに従って光ディスク１０２から次第に離間するように湾曲して延在する状態となる。
図６（Ｂ）に示すように、光ディスク装置１００の通電状態で、すなわち、レンズホルダ１４が動作位置に位置した状態で、前記８つの金属線１８０２Ａ、１８０２Ｂはベース１６のサスペンション取付部１６０４からレンズホルダ１４に至るに従って光ディスク１０２に次第に近接するように湾曲して延在する状態となる。
本実施例では、前記８つの金属線１８０２Ａ、１８０２Ｂは、レンズホルダ１４が退避位置に位置した状態とレンズホルダ１４が動作位置に位置した状態で、前記湾曲して延在する状態が保持されるように形成されている。
【００２３】
レンズホルダ１４の退避位置から動作位置への移動は、サーボ制御部１０９がフォーカシング駆動回路１１６を制御することでフォーカシングアクチュエータ２０に動作待機用電流を供給することによってなされる。
レンズホルダ１４がいったん動作位置に位置すると、前記８つの金属線１８０２Ａ、１８０２Ｂによってレンズホルダ１４の動作位置が保持され、フォーカシング駆動回路１１６からフォーカシングアクチュエータ２０への前記動作待機用電流の供給は停止される。
レンズホルダ１４の動作位置から退避位置への移動は、サーボ制御部１０９がフォーカシング駆動回路１１６を制御することでフォーカシングアクチュエータ２０に前記動作待機用電流と逆方向の動作解除電流を供給することによってなされる。
レンズホルダ１４がいったん退避位置に位置すると、前記８つの金属線１８０２Ａ、１８０２Ｂによってレンズホルダ１４の退避位置が保持され、フォーカシング駆動回路１１６からフォーカシングアクチュエータ２０への前記動作解除電流の供給は停止される。
なお、光ディスク装置１００の通電状態でフォーカシングアクチュエータ２０に前記動作待機用電流を供給しレンズホルダ１４を前記退避位置から動作位置に位置させ、前記レンズホルダ１４が前記動作位置に位置した状態で、記録および／または再生時にフォーカシングアクチュエータ２０にフォーカスサーボ用の駆動電流を与えることでフォーカスサーボ動作を行ない、トラッキングアクチュエータ２２にトラッキングサーボ用の駆動電流を与えることでトラッキングサーボ動作を行なうことは実施例１と同じである。
また、フォーカシングアクチュエータ２０およびトラッキングアクチュエータ２２に対するフォーカスサーボ用およびトラッキングサーボ用の駆動電流の供給は、実施例１、２と同様に、前記８つの金属線１８０２Ａ、１８０２Ｂのうちの任意の４本を用いて行なえばよい。
【００２４】
したがって、実施例３においても実施例１と同様に、光ディスク装置１００の非通電時に対物レンズ１２と光ディスク１０２がぶつかって損傷することを確実に防止でき、小型化および低コスト化を図ることができる。小型化および低コスト化を図りつつ、光ディスク装置１００の非通電時に対物レンズ１２と光ディスク１０２がぶつかって損傷することを確実に防止できる。
さらに、実施例３では、レンズホルダ１４がいったん動作位置に位置した状態では、フォーカシング駆動回路１１６からフォーカシングアクチュエータ２０への前記動作待機用電流の供給が停止されるため、実施例１、実施例２に比較して、消費電力を削減する上で有利となる。
【００２５】
なお、上述した各実施例においては、各サスペンション部材１８を金属線で構成したが、本発明はこれに限定されるものでなく、各サスペンション部材１８を例えばフォーカシング方向に弾性変形可能に設けられた板ばねによって構成してもよい。
また、各実施例では、サスペンション部材１８を複数設けたが、サスペンション部材を単一として構成することも考えられる。
また、フォーカシングアクチュエータ２０を、一対の磁石２４、２６と、レンズホルダ１４に設けられたフォーカシングコイル２８とで構成したが、フォーカシングアクチュエータ２０はレンズホルダ１４をフォーカシング方向に駆動するものであればよく、その構成は任意である。
また、光ディスク装置１００は、各種の携帯機器や据え置き型の機器に搭載されてよいことは無論のこと、単体で使用されるものであってもよいことはいうまでもない。
【図面の簡単な説明】
【００２６】
【図１】実施例１の光ディスク装置の概略構成を示すブロック図である。
【図２】実施例１の光ディスク装置の光ピックアップの構成を示す斜視図である。
【図３】図２の平面図である。
【図４】実施例１における光ピックアップの動作説明図である。
【図５】実施例２における光ピックアップの動作説明図である。
【図６】実施例３における光ピックアップの動作説明図である。
【符号の説明】
【００２７】
１００……光ディスク装置、１０２……光ディスク、１０４……光ピックアップ、１２……対物レンズ、１４……レンズホルダ、１６……ベース、１８……サスペンション部材、２０……フォーカシングアクチュエータ、２２……トラッキングアクチュエータ、１０７……システムコントローラ、１０９……サーボ制御回路、１１６……フォーカシング駆動回路。
【図１】
2005092956.tif 000003
【図２】
2005092956.tif 000004
【図３】
2005092956.tif 000005
【図４】
2005092956.tif 000006
【図５】
2005092956.tif 000007
【図６】
2005092956.tif 000008